(57)【要約】【課題】本発明は、極めて商品価値の高い画期的な手動式除去作業具を提供することを目的とする。【解決手段】路面や地面などの被摺動面１を摺動することで該被摺動面１上の土や砂などの被移動物２を移動せしめるラッセル部３を握柄部４の先端に設けた手動式除去作業具であって、前記ラッセル部３の裏面摺動部３Ａが前記被摺動面１に当接した際、前記被摺動面１に当接する当接部５を前記ラッセル部３の裏面にして前記裏面摺動部３Ａよりも後方位置に設け、前記ラッセル部３の裏面摺動部３Ａを前記被摺動面１に摺動させて前記ラッセル部３で作業を行った際、このラッセル部３で作業した後の前記被摺動面１に当接することで前記被摺動面１の掃き作業を行うように前記当接部５を構成したものである。【選択図】図１
2008297826.tif 000002
【特許請求の範囲】
【請求項１】
路面や地面などの被摺動面を摺動することで該被摺動面上の土や砂などの被移動物を移動せしめるラッセル部を握柄部の先端に設けた手動式除去作業具であって、前記ラッセル部の裏面摺動部が前記被摺動面に当接した際、前記被摺動面に当接する当接部を前記ラッセル部の裏面にして前記裏面摺動部よりも後方位置に設け、前記ラッセル部の裏面摺動部を前記被摺動面に摺動させて前記ラッセル部で作業を行った際、このラッセル部で作業した後の前記被摺動面に当接することで前記被摺動面の掃き作業を行うように前記当接部を構成したことを特徴とする手動式除去作業具。
【請求項２】
前記裏面摺動部が前記被摺動面に当接した際、前記被摺動面に当接する前記当接部を前記ラッセル部の裏面にして前記裏面摺動部よりも後方位置となる非摺動部に突設したことを特徴とする請求項１記載の手動式除去作業具。
【請求項３】
前記握柄部を前記被摺動面に対して所定角度の起き上がり傾斜状態に配して前記ラッセル部の裏面摺動部が前記被摺動面に当接した際、前記被摺動面に当接する前記当接部を前記ラッセル部の裏面にして前記裏面摺動部よりも後方位置に設けたことを特徴とする請求項１，２のいずれか１項に記載の手動式除去作業具。
【請求項４】
前記ラッセル部は縦巾よりも横巾の長い横長形状であることを特徴とする請求項１〜３のいずれか１項に記載の手動式除去作業具。
【請求項５】
前記当接部を前記ラッセル部と同一巾若しくは略同一巾に設定したことを特徴とする請求項１〜４のいずれか１項に記載の手動式除去作業具。
【請求項６】
前記当接部は適度な可撓性を有する部材で構成されていることを特徴とする請求項１〜５のいずれか１項に記載の手動式除去作業具。
【請求項７】
前記当接部は線材を束ね状態としたブラシ材で構成されていることを特徴とする請求項１〜６のいずれか１項に記載の手動式除去作業具。
【請求項８】
前記ラッセル部は合成樹脂製の部材を一体成形してなるものであることを特徴とする請求項１〜７のいずれか１項に記載の手動式除去作業具。
【発明の詳細な説明】
【技術分野】
【０００１】
本発明は、例えば土や砂などの被移動物を移動せしめて除去するための手動式除去作業具に関するものである。
【背景技術】
【０００２】
従来から、土木作業現場などにおいて土や砂を除去する際に使用するものとして、例えば特開平８−９２９９１号に開示されるスコップなどが種々提案されている。
【０００３】
このスコップは、土を掘り起こす作業の他、例えば作業車両が路面に残した土や砂を除去する掃除作業）の際などにも使用されており、具体的には、握柄部を押し込み、該握柄部の先端に設けられるラッセル部を路面を摺動させることで該路面上の土や砂を追いやることで除去することになる。
【０００４】
【特許文献１】特開平８−９２９９１公報
【発明の開示】
【発明が解決しようとする課題】
【０００５】
ところが、従来から提案されるスコップは、実際に使用した場合、例えば塊状になった大きい被移動物（土や砂）を追いやることはできるが、例えば粉状になった小さい被移動物（土や砂）は良好に追いやることができず、よって、先ずは従来例でおおまかに大きい被移動物の除去作業を行い、その後、ホウキなどの掃き具で小さい被移動物を掃いて仕上げの除去作業を別途行っているのが現状である。
【０００６】
本発明は、上述した問題点を解消する、極めて商品価値の高い画期的な手動式除去作業具を提供するものである。
【課題を解決するための手段】
【０００７】
添付図面を参照して本発明の要旨を説明する。
【０００８】
路面や地面などの被摺動面１を摺動することで該被摺動面１上の土や砂などの被移動物２を移動せしめるラッセル部３を握柄部４の先端に設けた手動式除去作業具であって、前記ラッセル部３の裏面摺動部３Ａが前記被摺動面１に当接した際、前記被摺動面１に当接する当接部５を前記ラッセル部３の裏面にして前記裏面摺動部３Ａよりも後方位置に設け、前記ラッセル部３の裏面摺動部３Ａを前記被摺動面１に摺動させて前記ラッセル部３で作業を行った際、このラッセル部３で作業した後の前記被摺動面１に当接することで前記被摺動面１の掃き作業を行うように前記当接部５を構成したことを特徴とする手動式除去作業具に係るものである。
【０００９】
また、前記裏面摺動部３Ａが前記被摺動面１に当接した際、前記被摺動面１に当接する前記当接部５を前記ラッセル部３の裏面にして前記裏面摺動部３Ａよりも後方位置となる非摺動部３Ｂに突設したことを特徴とする請求項１記載の手動式除去作業具に係るものである。
【００１０】
また、前記握柄部４を前記被摺動面１に対して所定角度の起き上がり傾斜状態に配して前記ラッセル部３の裏面摺動部３Ａが前記被摺動面１に当接した際、前記被摺動面１に当接する前記当接部５を前記ラッセル部３の裏面にして前記裏面摺動部３Ａよりも後方位置に設けたことを特徴とする請求項１，２のいずれか１項に記載の手動式除去作業具に係るものである。
【００１１】
また、前記ラッセル部３は縦巾よりも横巾の長い横長形状であることを特徴とする請求項１〜３のいずれか１項に記載の手動式除去作業具に係るものである。
【００１２】
また、前記当接部５を前記ラッセル部３と同一巾若しくは略同一巾に設定したことを特徴とする請求項１〜４のいずれか１項に記載の手動式除去作業具に係るものである。
【００１３】
また、前記当接部５は適度な可撓性を有する部材で構成されていることを特徴とする請求項１〜５のいずれか１項に記載の手動式除去作業具に係るものである。
【００１４】
また、前記当接部５は線材５ａ’を束ね状態としたブラシ材５ａで構成されていることを特徴とする請求項１〜６のいずれか１項に記載の手動式除去作業具に係るものである。
【００１５】
また、前記ラッセル部３は合成樹脂製の部材を一体成形してなるものであることを特徴とする請求項１〜７のいずれか１項に記載の手動式除去作業具に係るものである。
【発明の効果】
【００１６】
本発明は上述のように構成したから、路面や地面などの被摺動面上の土や砂などの被移動物を除去する作業が簡易且つ迅速に行えることになるなど極めて商品価値の高い画期的な手動式除去作業具となる。
【発明を実施するための最良の形態】
【００１７】
好適と考える本発明の実施形態を、図面に基づいて簡単に説明する。
【００１８】
本発明は、ラッセル部３の裏面摺動部３Ａを被摺動面１に摺動させてラッセル部３で被移動物２を移動せしめる作業を行うと、当接部５によりラッセル部３で作業した後の被摺動面１の掃き作業が行われる。
【００１９】
従って、前述した従来から提案されるもの使用した場合と異なり、大きい被移動物２を移動せしめる作業とともに、小さい被移動物２の掃き作業が行われることになり、非常に効率の良い除去作業が行えることになる。
【００２０】
また、本発明は、被摺動面１に対して裏面摺動部３Ａが当接した状態で当接部５による掃き作業が行われることになるから、当接部５に無駄な力が入らず、当接部５の耐久性を飛躍的に向上することができる（従来のようなホウキで掃き作業を行う場合には力が入り過ぎて直ちにホウキが使用できなくなるという問題点があった。）。
【実施例】
【００２１】
本発明の具体的な一実施例について図面に基づいて説明する。
【００２２】
本実施例は、路面や地面などの被摺動面１を摺動することで該被摺動面１上の土や砂や石などの被移動物２を移動除去（押し分けたり、押し出したり、寄せ集めたり）せしめるラッセル部３を握柄部４の先端に設けたものである。尚、本実施例は、被移動物２として土や砂を除去する土砂除去作業具として構成しているが、例えば雪を除去する作業具としても機能するなど本実施例の使用範囲は多岐に亙るものである。
【００２３】
具体的には、図１〜６に図示したように基端部に合成樹脂製のグリップ４ａを設けた金属製の筒状体４ｂから成る握柄部４の先端部にラッセル部３を設けたものである（握柄部４を押込んでラッセル部３を被摺動面１に摺動させることで該被摺動面１上の被移動物２を追いやる、所謂ラッセル式の手動式除去作業具である。）。
【００２４】
ラッセル部３は、図１〜６に図示したように適宜な合成樹脂製の部材を一体成形したものであり、縦巾よりも横幅の長い横長形状（巾広形状）に形成されている。
【００２５】
また、ラッセル部３は、凹湾曲する基板３ａの裏面基端中央位置に握柄部４を連結する連結部３ｂを設けている。
【００２６】
また、ラッセル部３（基板３ａ）の表面には凸条３ｃ及び凹条３ｄが形成されており、この凸条３ｃ及び凹条３ｄは、押込まれてラッセル部３内に入った被移動物２を誘導する機能を発揮し、更に、補強リブとしての機能も発揮する。
【００２７】
また、ラッセル部３の裏面先端部位は、握柄部４を押込むことで被摺動面１を摺動する裏面摺動部３Ａに設定されている。
【００２８】
また、ラッセル部３は、裏面摺動部３Ａが被摺動面１に当接した際、被摺動面１に当接する当接部５を前記ラッセル部３の裏面にして前記裏面摺動部３Ａよりも後方位置に設けている。
【００２９】
この当接部５は、ラッセル部３の裏面摺動部３Ａを被摺動面１に摺動させて被移動物２の移動作業を行った際、ラッセル部３で作業した後の被摺動面１に当接することで被摺動面１の掃き作業を行うように構成されている。
【００３０】
具体的には、当接部５は、握柄部４を被摺動面１に対して所定角度の起き上がり傾斜状態（押込み操作に適する力が入れ易くバランスの取り易い角度の傾斜状態）に配してラッセル部３の裏面摺動部３Ａが被摺動面１に当接した際、被摺動面１に当接するブラシ材５ａをラッセル部３の裏面にして裏面摺動部３Ａよりも後方位置となる非摺動部３Ｂに着脱自在に突設して構成されている。このラッセル部３の裏面に対するブラシ材５ａの連結は、ラッセル部３の裏面巾方向に突設した連結部３ｅに止着部材６（ネジ）を介して連結される。
【００３１】
また、当接部５は、ラッセル部３（先端縁部）と略同一巾に設定されている。
【００３２】
尚、本実施例では、当接部５として線材５ａ’を束ね状態としたブラシ材５ａを採用したが、ゴム板でも良いなど本実施例の特性を発揮する構成であれば適宜採用し得るものである。
【００３３】
本実施例は上述のように構成したから、図６に図示したように大きい被移動物２（固まり上の土や石）の移動作業と共に、小さい被移動物２（砂）を掃き作業が行われることになる。
【００３４】
よって、本実施例によれば、石や砂などの被移動物２の除去作業が簡易且つ非常に効率良く迅速に行えることになる。
【００３５】
また、本実施例は、被摺動面１に対して裏面摺動部３Ａが当接した状態で当接部５による掃き作業が行われることになるから、当接部５に無駄な力が入らず（小さい被移動物２を掃くだけの力を良好に付与することができる。）、当接部５の耐久性が飛躍的に向上することになる。
【００３６】
また、本実施例は、被摺動面１に対して握柄部４を起こした状態とすることでラッセル部３のみの使用状態が得られ（被移動物２が水分を多量に含んだ土砂（泥）などといった当接部５を汚したく場面や、当接部５があまり機能しない場面などで有効である。）、一方、握柄部４を寝かせた状態とすることで当接部５のみの使用状態が得られることになる。
【００３７】
尚、本発明は、本実施例に限られるものではなく、各構成要件の具体的構成は適宜設計し得るものである。
【図面の簡単な説明】
【００３８】
【図１】本実施例を示す斜視図である。
【図２】本実施例を示す正面図である。
【図３】本実施例を示す側面図である。
【図４】本実施例を示す背面図である。
【図５】本実施例に係る要部の分解斜視図である。
【図６】本実施例に係る要部の動作説明図である。
【符号の説明】
【００３９】
１  被摺動面
２  被移動物
３  ラッセル部
３Ａ  裏面摺動部
３Ｂ  非摺動部
４  握柄部
５  当接部
５ａ  ブラシ材
５ａ’  線材
【図１】
2008297826.tif 000003
【図２】
2008297826.tif 000004
【図３】
2008297826.tif 000005
【図４】
2008297826.tif 000006
【図５】
2008297826.tif 000007
【図６】
2008297826.tif 000008